(57)【要約】【課題】  首、手首や足首への装着、且つ衣類の肩紐や襟等に装着することの可能な、装身具の留具を提供する。【解決手段】  表面に装飾部を設け、線状装飾両端部どうしの連結および、衣類等への係止を可能とした挟み部を設け、その挟み部には連結される留具どうしの分裂防止、さらに衣類等の挟み込み装着時の脱落およびズレ防止のため爪を挟み部先端に設け、同挟み部中央部付近に爪受部を設ける。また、線状装飾部と留具との連結部には、衣類に係止する際に留具の角度に関係なく装飾部が下方に懸垂される状態を保つことが可能となるように回転リングを設けたことを特徴とする装身具の留具である。【選択図】図１
2010005351.tif 000002
【特許請求の範囲】
【請求項１】
表面に装飾部を設け、線状装飾両端部どうしの連結および、衣類等への係止を可能とした挟み部を設けたことを特徴とする、装身具の留具。
【請求項２】
前記の挟み部に、連結される留具どうしの分裂防止、さらに衣類等の挟み込み装着時の脱落およびズレ防止のため爪を挟み部先端に設け、同挟み部中央部付近に爪受部を設けたことを特徴とする、請求項１記載の装身具の留具。
【請求項３】
前記の線状装飾部と留具との連結部に、装飾部が下方に懸垂される状態を保つための回転リングを設けたことを特徴とする、請求項１記載の装身具の留具。
【発明の詳細な説明】
【技術分野】
【０００１】  本発明は、首、手首や足首への装着、且つ衣類の肩紐や襟等に装着することの可能な、装身具の留具に関するものである。
【背景技術】
【０００２】  ネックレスは首、ブレスレットは手首、アンクレットは足首に装着することを目的とし、その留具は線状装飾の一方に受具もう一方には留具設け、それぞれを接続し、輪の状態にするためのみに設けられている。そのため、受具と留具は各々別の形状をしている。
【発明が解決しようとする課題】
【０００３】  ネックレス、ブレスレット、アンクレットの留具は共に、受具と留具は各々別の形状を有し、線状装飾部の両端部を接続し装飾品としての形を形成するための目的として設けられている。そのため首、手首もしくは足首に掛けての装着方法でしか使用ができなかった。
【０００４】  本発明は、このような問題を解決するためになされたもので、ネックレス、ブレスレットやアンクレットだけとしてでなく、衣類を挟み込んでのブローチや、イヤリング等としても使用できる装身具の留具を提供する。
【課題を解決するための手段】
【０００５】  表面に装飾部を設け、線状装飾両端部どうしの連結および、衣類等への係止を可能とした挟み部を設け、その挟み部には連結される留具どうしの分裂防止、さらに衣類等の挟み込み装着時の脱落およびズレ防止のため爪を挟み部先端に設け、同挟み部中央部付近に爪受部を設ける。また、線状装飾部と留具との連結部には、衣類に係止する際に留具の角度に関係なく装飾部が下方に懸垂される状態を保つことが可能となるように回転リングを設ける。
以上を特徴とする装身具の留具である。
【発明の効果】
【０００６】  本発明は、線状装飾部両端の留具どうしを連結し、首に装着するネックレス、手首に装着するブレスレットまたは足首に装着するアンクレットとして使用する方法と、留具の挟み部により衣類を挟み込んで装着することで、ネックレス、ブレスレットやアンクレット以外としての使用ができる。その方法として、衣類の肩紐に装着することでの装飾、かつ、その肩紐のずり落ち防止手段として、さらには、襟元への装着や胸ポケット等へ装着するブローチとしての使用ができる。このように、留具の挟み込みが可能な部位であれば、使用者が任意の箇所に宝飾品として装着することができる。
ネックレスのように留具どうしを連結して試用する場合は両面が装飾部となるため、連結時に留具が反転しても、常に装飾部が前面に来る状態を保つことができる。
また、線状装飾部と留具との連結用には、回転するリングを設けることで留具の装着する角度に関係なく装飾部が下方に懸垂される状態となる。
【発明を実施するための最良の形態】
【０００７】  以下、本発明の実施の形態を説明する．
（イ）台座（４）に支軸となる回転軸（９）を設け、かみ合わせのための爪（６）と爪受部（１０）の開口を有する、挟み部（５）を設ける。
（ロ）回転軸（９）には、挟み部（５）の開閉用のためのバネ（１１）を設け、台座（４）とによって挟み込みの機構を構成する。
（ハ）台座（４）に装飾部（１）を設け、台座（４）と装飾部（１）の間に回転リング（２）を設け、回転リング（２）には線状装飾部（１３）と連結するための接続リング（３）を設ける。
（ニ）接続リング（３）と線状装飾部（１３）は、つなぎカン（１２）を設けて連結する。
本発明は以上のような構成でこれを使用するときは、ネックレスまたはブレスレットの場合は、図７、８、１３に示すように線状装飾部（１３）の両端部の留具に設ける挟み部（５）どうしを挟み込みにより連結し、輪の状態にして首、手首または足首に装着使用する。その際、挟み部（５）の先端の爪（６）と爪受部（１０）とをかみ合わせ、留具の接続時には脱落およびズレ防止のない強固なものにする。ネックレスとして掛ける場合に留具を首の後方に位置にすると留具、前方に位置するとペンダントヘッドとなる。
【実施例１】
【０００８】  図１１、１２に示すように衣類の肩紐や襟等に装着する場合は、留具をそれぞれ任意に位置に衣類を挟み込んで装着する．その際、挟み部（５）の先端の爪（６）により留具と衣類とのズレ防止を図る。留具には、回転リング（２）を設けることで、留具の装着角度に関係なく線状装飾部（１３）が下方向に位置することができる。
【実施例２】
【０００９】  図１０に示すように線状装飾部（１３）と留具の接続リング（３）との接続に、取外し可能な機構を持つ接続部材のヒキワ（１６）を設けることで、線状装飾部（１３）を留具よりはずし留具のみをブローチとして使用することが可能となり、また他の装飾品を接続して装着することもできる。
【図面の簡単な説明】
【００１０】
【図１】本発明の留具装飾部側からの斜視図
【図２】本発明の留具裏側からの斜視図
【図３】本発明の留具装飾面の図
【図４】本発明の留具側面図
【図５】図６の留具裏側の図
【図６】図７の挟み部を開いた状態の図
【図７】両端の留具を連結した状態の図
【図８】両端の留具を連結した状態の側面図
【図９】図４に示す、Ａ部断面詳細図
【図１０】線状装飾部と留具をつなぎカンで接続した場合の側面図
【図１１】本発明の衣類肩紐に装着した状態の図
【図１２】本発明の衣類襟に装着した状態の図
【図１３】本発明の首に装着した状態の図
【符号の説明】
【００１１】  １  装飾部
２  回転リング
３  接続リング
４  台座
５  挟み部
６  爪
７  摘み部
８  滑り止め
９  回転軸
１０  爪受部
１１  バネ
１２  つなぎカン
１３  線状装飾部
１４  衣類肩紐
１５  衣類襟
１６  ヒキワ
【図１】
2010005351.tif 000003
【図２】
2010005351.tif 000004
【図３】
2010005351.tif 000005
【図４】
2010005351.tif 000006
【図５】
2010005351.tif 000007
【図６】
2010005351.tif 000008
【図７】
2010005351.tif 000009
【図８】
2010005351.tif 000010
【図９】
2010005351.tif 000011
【図１０】
2010005351.tif 000012
【図１１】
2010005351.tif 000013
【図１２】
2010005351.tif 000014
【図１３】
2010005351.tif 000015